Podtech/llm-jp-corpus-v4-ja_patent huggingface dataset:
(57)【要約】      （修正有）【課題】患部の保温・保護や単純な指圧効果の他に健康増進機能を付帯できる、磁石入りサポーターを提供する。【解決手段】サポーター１内にポケット２を設け、その中に磁石４を入れることにより、磁石の保有する磁気効果を活用し、患部の保温・保護に加えて、磁気作用および指圧効果を相乗したつぼの刺激により血行促進を図ることを最も主要な特徴とする。【選択図】図１
2005095498.tif 000002
【特許請求の範囲】
【請求項１】
サポーター内にポケットを設け、その中に磁石を入れることにより、磁石の保有する磁気効果を活用し、患部の保温・保護に加えて、つぼの刺激により血行促進を図る健康増進サポーター
【請求項２】
ポケット内部の磁石は取り外し可能であり、サポーター部分の洗濯も可能
【発明の詳細な説明】
【技術分野】
【０００１】
本発明は、磁石の保有する磁気効果を活用し、患部の保温・保護に加えて、つぼの刺激により血行促進を図る健康増進サポーターに関するものである。
【背景技術】
【０００２】
従来のサポーターは患部の保温・保護のみを行うものであった。また、つぼを刺激するものもあったが、磁気効果を利用しているものは見られなかった。
【特許文献１】特開平１１−７６３６１号公報
【発明の開示】
【発明が解決しようとする課題】
【０００３】
解決しようとする問題点は、単に患部の保温・保護や単純な指圧効果の他に健康増進機能を付帯できない点である。
【課題を解決するための手段】
【０００４】
本発明は、サポーター内にポケットを設け、その中に磁石を入れることにより、磁石の保有する磁気効果を活用し、患部の保温・保護に加えて、磁気作用および指圧効果を相乗したつぼの刺激により血行促進を図ることを最も主用な特徴とする。
【発明の効果】
【０００５】
つぼ押し棒やつぼ押しサンダル、磁気サロンパス等が有する凝りの緩和、血行促進機能とサポーターの患部保温・保護機能を統合し手軽に健康増進を図ることができる。また、磁石は着脱可能であるため、サポーターの洗濯は自由であり、長期間清潔に使用でき、靴下にも応用できるという利点がある。
【発明を実施するための最良の形態】
【０００６】
磁石をサポーター内に設けたマジックテープ付きのポケットに収納することにより、患部の保温・保護に加えて、磁気効果による健康増進機能を付帯することを実現した。また、磁石の形状は丸、四角、半球などを選択できるため、患部のマッサージ効果の向上を図ることもできる。
【実施例】
【０００７】
図１は本発明品の実施例である。１はサポーター部、２はポケット、３はポケットを閉じるマジックテープ、４は磁石である。
【産業上の利用可能性】
【０００８】
整形、整体といった医療機関での用途にも適用可能である。
【図面の簡単な説明】
【０００９】
【図１】本発明品のつぼおしサポーターの一実施例を示す横図面である。
【図２】丸磁石を使用した実施例を表した図（ポケット部のみ）である。
【図３】四角磁石を使用した実施例を表した図（ポケット部のみ）である。
【図４】球磁石を使用した実施例を表した図（ポケット部のみ）である。
【図５】半球磁石を使用した実施例を表した図（ポケット部のみ）である。
【図６】本発明品の足裏への使用例
【図７】本発明品のひざへの使用例
【図８】本発明品のひじへの使用例
【符号の説明】
【００１０】
１  筒状サポーターバンド部分
２  ポケット部分
３  マジックテープ部分
４  磁石
【図１】
2005095498.tif 000003
【図２】
2005095498.tif 000004
【図３】
2005095498.tif 000005
【図４】
2005095498.tif 000006
【図５】
2005095498.tif 000007
【図６】
2005095498.tif 000008
【図７】
2005095498.tif 000009
【図８】
2005095498.tif 000010
(57)【要約】【課題】アルコールの持つ特有のアルコール刺激を果汁との混合によって簡単に排除し、アルコールを飲用できない又は好んで飲用しない味覚嗜好を持つ人にも、抵抗なく飲用することができるアルコール飲料を提供する。【解決手段】アルコールと果汁の混合物からなり、必要により、水、炭酸ガス、香料、酸味料、糖類、甘味料、着色料などを含有し、上記アルコール飲料と果汁の混合量を同量もしくは果汁含有量が多くなるように設定する。【選択図】なし【特許請求の範囲】
【請求項１】
アルコールと果汁の混合物からなり、必要により、水分、炭酸ガス、香料、酸味料、糖類、甘味料、着色料などを含有し、上記アルコール飲料と果汁の混合量を同量もしくは果汁含有量が多くなるように設定したアルコール飲料。
【請求項２】
上記アルコールの含有量をアルコール度が６％以下で果汁含有量が７０％以上になるよう設定した請求項１に記載のアルコール飲料。
【発明の詳細な説明】
【技術分野】
【０００１】
この発明は、アルコール飲料であるにもかかわらず、アルコール特有の刺々しいアルコール刺激のない味覚を有するアルコール飲料に関する。
【背景技術】
【０００２】
従来、アルコール飲料については、焼酎、ウオッカ等の蒸留酒、果実酒、梅酒等の浸漬酒、カクテル、チューハイに代表されるリキュール類をはじめ、ビール、発泡酒などがある。
【０００３】
こうした従来のアルコール飲料は、一般的に、アルコール特有の酵母臭や刺々しいアルコール苦味、鼻をつくアルコール臭、老成（ヒネ）などのアルコール含有飲料が固有に持つ味覚（以下これをアルコール刺激という）を有するものである。
【０００４】
本発明者は、アルコール飲料の嗜好を検討した結果、アルコール飲料を楽しみたいが、アルコール刺激が苦手で、飲用できない又は好んで飲用しない味覚嗜好を持つ一群が存在することを見出した。
【発明の開示】
【発明が解決しようとする課題】
【０００５】
そこで、従来の各種アルコール飲料を飲用してみたが、アルコールを含有する飲料から固有の味覚であるアルコール刺激を無くした味覚設計の商品が存在しなかった。
【０００６】
従来のアルコール飲料の製造において、定温で熟成を長期間とることで、まろやかな味覚をつくるという方法があるが、このような製法によっても酵母臭やアルコール苦味が残り、アルコール刺激を完全に除去することができないと共に、熟成に長期間を要するという欠点がある。
【０００７】
そこで、この発明の課題は、アルコールの持つ特有のアルコール刺激を果汁との混合によって簡単に排除し、アルコールを飲用できない又は好んで飲用しない味覚嗜好を持つ人にも、抵抗なく飲用することができるアルコール飲料を提供することにある。
【課題を解決するための手段】
【０００８】
上記のような課題を解決するため、この発明は、アルコールと果汁の混合物からなり、必要により、水、炭酸ガス、香料、酸味料、糖類、甘味料、着色料などを含有し、上記アルコール飲料と果汁の混合量を同量もしくは果汁含有量が多くなるように設定した構成を採用したものである。
【０００９】
上記アルコールの含有量をアルコール度が６％以下で果汁含有量が７０％以上になるよう設定することができる。
【００１０】
ここで、上記アルコールは、焼酎、ウオッカ等の蒸留酒、果実酒、梅酒等の浸漬酒、カクテル、チューハイに代表されるリキュール類をはじめ、ビール、発泡酒を挙げることができ、また、果汁の材料としては、オレンジ、グレープフルーツ、みかん、ネーブル、ピンクグレープフルーツ、パイナップル、ピーチ、グレープ、アップル等を例示することができる。
【発明の効果】
【００１１】
上記のように、この発明によると、アルコールと果汁の混合物からなり、上記アルコールと果汁の混合量を同量もしくは果汁含有量が多くなるように設定したので、アルコールの持つアルコール刺激を果汁で和らげたり消した、今までにない全く新しい味覚のアルコール飲料となり、アルコール刺激のない味覚になることにより、アルコール刺激がいやでアルコールを飲用できない又は好んで飲用しない味覚嗜好を持っていた人でも、抵抗なくアルコールを飲用することができ、これによって、上記のような人にもアルコールを楽しむことができるようになると共に、アルコールの消費拡大を図ることができる。
【実施例】
【００１２】
以下、この発明の実施例を説明する。
【００１３】
この発明のアルコール飲料は、アルコールと果汁の混合物からなり、上記アルコール飲料と果汁の混合量を同量もしくは果汁含有量が多くなるように設定し、アルコールの持つアルコール刺激を果汁で和らげたり消したものであり、必要により、水分、炭酸ガス、香料、酸味料、糖類、甘味料、着色料などの添加物を加えて混合することができる。
【００１４】
上記アルコールとしては、焼酎、ウオッカ等の蒸留酒、果実酒、梅酒等の浸漬酒、カクテル、チューハイに代表されるリキュール類をはじめ、ビール、発泡酒を挙げることができるが、特に、醸造アルコール、ウオッカなどの雑味の少ない蒸留酒を用いるのが好ましい。
【００１５】
また、上記果汁の材料としては、オレンジ、グレープフルーツ、みかん、ネーブル、ピンクグレープフルーツ、パイナップル、ピーチ、グレープ、アップル等を例示することができ、果汁の形態としては、ストレート果汁、濃縮果汁、濃縮還元果汁の何れでもよい。
【００１６】
次に、上記アルコール飲料と果汁及び添加物の好ましい混合量を例示する。
【００１７】
第１の例
アルコール度１００％のアルコールと１００％のストレート果汁を等しい量（体積、以下同じ）だけ混合することによって、アルコール度５０％と果汁度５０％のアルコール飲料とする。
【００１８】
第２の例
アルコール度８０％のアルコールと１２０％の濃縮果汁及び水分を１：１：２の割合で混合し、アルコール度２０％、果汁度３０％のアルコール飲料とする。
【００１９】
第３の例
アルコール度９０％のアルコールと３００％の濃縮還元果汁及び水分を１：１：１の割合で混合し、アルコール度３０％、果汁度１００％のアルコール飲料とする。
【００２０】
第４の例
ウオッカ等の適宜アルコール度のアルコールと適宜果汁度の果汁及び必要に応じて水分を、アルコール度が１％から６％で果汁度が７０％以上となるような割合で混合し、アルコール飲料とする。
【００２１】
なお、上記の各例において、上述した添加物を適量混合することにより、香りや味覚、色彩の調整が自由に行えることになる。
【００２２】
上記の各例で示したアルコール飲料は、アルコールに対して果汁を同量もしくは果汁含有量が多くなるように設定して混合することにより、果汁の成分がアルコールの持つアルコール刺激を和らげたり消すことができ、アルコール刺激のない味覚となることにより、今までアルコールを飲用していた人は勿論飲用することができるが、特に、アルコールを飲用できない又は好んで飲用しない味覚嗜好を持つ人にも、抵抗なく飲用することができるようになり、このような人の嗜好の範囲を広げると同時に、アルコールの消費拡大を図ることができる。
(57)【要約】【課題】本発明は、従来のマッシャーの押圧板は平面であり、食材との接触面が少なく、滑ったり、転がったりしてしまう現象を解消する調理用マッシャーを提供しようとするもの。【解決手段】上記課題を解決することを目的としてなされた本発明の構成は、略ドーム状をなし格子状又は、円形及び／又は多角形状の穴を連続して設けた押圧板から、上方へ向け支持用ハンドルを設けたことを特徴とする調理用マッシャーである。【選択図】  図１
2005095693.tif 000002
【特許請求の範囲】
【請求項１】
略ドーム状をなし格子状又は、円形及び／又は多角形状の穴を連続して設けた押圧板から、上方へ向け支持用ハンドルを設けたことを特徴とする調理用マッシャー。
【請求項２】
上記押圧板の平面形状を果実又は野菜などの形状とした請求項１の調理用マッシャー。
【発明の詳細な説明】
【技術分野】
【０００１】本発明は、調理用マッシャーに関するものである。
【背景技術】
【０００２】従来、野菜、果物などは押圧板が平面のマッシャーなどを使用している。
【発明の開示】
【発明が解決しようとする課題】
【０００３】本発明は、従来のマッシャーの押圧板は平面であり、食材との接触面が少なく、滑ったり、転がったりしてしまう現象を解消する調理用マッシャーを提供しようとするものである。
【課題を解決する為の手段】
【０００４】上記課題を解決することを目的としてなされた本発明の構成は、略ドーム状をなし格子状又は、円形及び／又は多角形状の穴を連続して設けた押圧板から、上方へ向け支持用ハンドルを設けたことを特徴とする調理用マッシャーである。
【０００５】押圧板の形状は平面視、円形、楕円、多角形、野菜、果物、動物、キャラクターを用いた形状などとし、前記開孔した断面視略ドーム状などとする。
【発明を実施するための最良の形態】
【０００６】本発明の実施の形態を添付図面及び符号に基づいて詳細に説明する。図１は本発明の調理用マッシャーの一例を示すＡ−Ａ矢視断面図であり、略ドーム状をなす押圧板１から上方へ向けハンドル部２を設けた一例であり、図２は、押圧板１の円形状、苺形状の例の平面図である。【０００７】本発明調理用マッシャーにおける押圧板の断面形状、ハンドルの形状は上述のものに限定されるものではないことは勿論である。
【発明の効果】
【０００８】従来のマッシャーでは滑ってしまい潰しにくい略球形の食材、特に苺などは滑ってしまい潰しにくく子供や、力の弱い老人などには困難な作業である。本発明の調理用マッシャーを使用すると、略球形の食材などは、略ドーム状の押圧板の効果により滑って転がってしまうことなく容易に食材を潰すことが可能であり又、押圧板が果物、キャラクターなどの形状であるため子供にも親しまれる調理器具が提供できる。
【図面の簡単な説明】
【０００９】
【図１】本発明調理用マッシャーの一例の矢視断面図。
【図２】本発明調理用マッシャーの押圧板の例の平面図。
【符号の説明】
【００１０】  １  押圧板
２  ハンドル部
３  格子状開孔
４  円形開孔
【図１】
2005095693.tif 000003
【図２】
2005095693.tif 000004
(57)【要約】【課題】本発明は、従来車椅子の利用者は狭隘な場所での転回は自身の車椅子操作によるもので、住宅の便所、洗面所などでの転回が不自由であるため、近年の高齢化社会や障害者配慮観点から方向転換を容易にし車椅子利用者の負担を軽減する車椅子用ターンテーブルを提供するもの。【解決手段】上記課題を解決することを目的としてなされた本発明の構成は、ターンテーブル下面に支軸を備え駆動モーターにて回動し、スイッチ及び／又は遠隔操作により自在位置で位置決め停止する安全ブレーキ機構を具えたことを特徴とする車椅子用ターンテーブルである。【選択図】  図１
2005095692.tif 000002
【特許請求の範囲】
【請求項１】
外周の全部乃至一部にスロープを付けた多角形乃至円形のベースプレートの内側、又は、建物の床面に上面全域が前記プレート又は床面と略同面を形成するように、円形をなすターンテーブルを回転自在に設置し、該ターンテーブルをモーター等の回転駆動源により所要角度回転させるようにしたことを特徴とする車椅子用ターンテーブル。
【請求項２】
回転駆動源の回転力は、ターンテーブルと一体の中心回転軸、又は、ターンテーブルの外周縁部、若しくは、ターンテーブル裏面に設けた伝導円部に、歯車やプーリーなどの伝達部材を介して伝導するようにした請求項１の車椅子用ターンテーブル。
【請求項３】
回転駆動源に流体圧シリンダを用い、該シリンダのピストンロッドのストローク運動をターンテーブルの回転力に変換して当該ターンテーブルに伝導するようにした請求項１の車椅子用ターンテーブル。
【請求項４】
建物床面に設置したターンテーブルの回転駆動源は該ターンテーブルの下面に配設した請求項１〜３のいずれかの車椅子用ターンテーブル。
【請求項５】
ベースプレートに移動用車輪を付けた請求項１〜３のいずれかの車椅子用ターンテーブル。
【請求項６】
回転駆動源の停止を含む回転制御は、遠隔操作により行なう請求項１〜５のいずれかの車椅子用ターンテーブル。
【発明の詳細な説明】
【技術分野】
【０００１】本発明は、車椅子用ターンテーブルに関するものである。
【背景技術】
【０００２】従来、車椅子用ターンテーブルは、例えば特開２００２−１２０９８４号公報に示されるターンテーブルを備えたホームエレベーターがある。このターンテーブルを備えたホームエレベーターは住宅用エレベーター床にターンテーブル部を備えたものであり住宅用エレベーターに付随する設備である。
【発明の開示】
【発明が解決しようとする課題】
【０００３】本発明は、従来車椅子の利用者は狭隘な場所での転回は自身の車椅子操作によるもので、住宅の便所、洗面所などでの転回が不自由であるため、近年の高齢化社会や障害者配慮観点から方向転換を容易にし車椅子利用者の負担を軽減する車椅子用ターンテーブルを提供しようとするものである。
【課題を解決する為の手段】
【０００４】上記課題を解決することを目的としてなされた本発明の構成は、ターンテーブル下面に支軸を備え駆動モーターにて回動し、スイッチ及び／又は遠隔操作により自在位置で停止固定する安全ブレーキ機構を備えたことを特徴とする車椅子用ターンテーブルである。
【０００５】ターンテーブル床面の設置高さ調整機構を備え建物床部分に嵌め込み使用することができる。
【０００６】移動式車椅子用ターンテーブルは、駆動モーターをターンテーブルに隣接して床上に設け床面からの高さを押え車椅子での乗降りを容易とし、スロープの取付けを固定式又は可動式とし各方向での乗降りも可能とする。
【発明を実施するための最良の形態】
【０００７】本発明の実施の形態を添付図面及び符号に基づいて詳細に説明する。図１は本発明車椅子用ターンテーブルの一例を示す平面図、図２は図１のＡ−Ａ矢視断面図、図３は本発明車椅子用ターンテーブルの別例の平面図、図４は図３のＢ−Ｂ矢視断面図である。【０００８】図１、図２において、１Ａは一辺にスロープ６を形成すると共に、他辺にキャスタ７を設け、高さを低めに形成した二重板材による平面四角形を呈するベースプレート、１は前記ベースプレート１Ａの中央部に形成した丸穴１ａに遊嵌したターンテーブルで、その上面がベースプレート１Ａの上面と略同面となるようにして、軸４により回転自在にベースプレート１Ａに取付けられている。３はベースプレート１Ａの上面隅部に設けた駆動源で、ここではモーターを用い、その回転出力がベルトやチェーン、或は、駆動プーリーなどによりターンテーブルに伝動されるように構成されている。２は、ターンテーブル１の上面に形成した車椅子の車輪を位置決めするためのマークであり、以上により安全な車椅子用ターンテーブルを構成する。又、スロープ６は一辺又は、複数辺に取付け可能で固定式或は、取外し可能な可動式とする。【０００９】図３、図４において、１Ｂはターンテーブルを遊嵌する略真円形に開口した１ｂを有する建物床、１は前記建物床１Ｂの開口１ｂに遊嵌したターンテーブルで、その上面が建物床１Ｂの上面と略同面となるようして、軸４により回転自在に高さ調整機構５を介し建物構造体９に取付けられている。３はターンテーブル１の下面、建物構造体上部に設けた駆動源でここではモーターを使い、その回転出力をラック・ピニオン機構などによりターンテーブルに伝動されるように構成されている。【００１０】本発明における車椅子用ターンテーブルの形状、材質は上述のものに限定されるものではないことは勿論である。
【発明の効果】
【００１１】本発明の車椅子用ターンテーブルを便所、洗面所、廊下などの狭隘な場所のコンクリート床、木造床などに設置し車椅子をする場合、車椅子を安全な表示の停車位置に停止し、スイッチ及び／又はリモコンにより回動し停止することにより車椅子利用者の負担を軽減することができ、転回のためのスペースを確保できない場所においても本発明の車椅子用ターンテーブル設置することにより車椅子利用者の移動などの負担が軽減される。又車椅子転回用スペースが不要になる為間取りなどに余裕を持たせることが可能である。
【００１２】既存の住宅、事務所、公共施設などにおいて移動式車椅子用ターンテーブルを使用すれば建物を車椅子用転回スペース確保の為の改修なども不用であり有用な道具となりうる。
【図面の簡単な説明】
【００１３】
【図１】本発明車椅子用ターンテーブル一例の平面図。
【図２】本発明車椅子用ターンテーブル一例の断面図。
【図３】本発明移動式車椅子用ターンテーブルの別例の平面図。
【図４】本発明移動式車椅子用ターンテーブルの別例の断面図。
【符号の説明】
【００１４】１  ターンテーブル          ５  高さ調整機構
１Ａ  ベースプレート        ６  スロープ
１Ｂ  建物床面              ７  キャスタ
２  停止位置表示            ８  ラック・ピニオン機構
３  駆動源                  ９  建物構造体
４  支軸
【図１】
2005095692.tif 000003
【図２】
2005095692.tif 000004
【図３】
2005095692.tif 000005
【図４】
2005095692.tif 000006
(57)【要約】 【課題】  フィルムのごとき長尺物を裁断するとともに、この裁断された片を別の場所に迅速にかつ確実に移送できる自動裁断移送装置を提供することにある。【解決手段】  フィルムのごとき長尺物を裁断位置へ搬送する搬送装置と、長尺物を裁断する上刃部と下刃部と、長尺物の一端を下刃部に吸着させるバキューム機構とを備えるものである。また、フィルムのごとき長尺物を裁断位置へ搬送する搬送装置と、長尺物の一端を裁断する上刃部と下刃部と、下刃部に長尺物の一端を吸着させるバキューム機構と、下刃部に前記バキューム機構により裁断された片を吸着させた状態で別の場所に移送させる移送装置とを備えるものである。【選択図】    図１
2005095991.tif 000002
【特許請求の範囲】
【請求項１】
フィルムのごとき長尺物を裁断位置へ搬送する搬送装置と、長尺物を裁断する上刃部と下刃部と、長尺物の一端を下刃部に吸着させるバキューム機構とを備えることを特徴とする自動裁断移送装置。
【請求項２】
フィルムのごとき長尺物を裁断位置へ搬送する搬送装置と、長尺物を裁断する上刃部と下刃部と、長尺物の一端を下刃部に吸着させるバキューム機構と、上刃部と下刃部により裁断された片を下刃部に吸着させた状態で別の場所に移送させる移送装置とを備えることを特徴とする自動裁断移送装置。
【発明の詳細な説明】
【技術分野】
【０００１】
本発明は、例えば、搬送されたフィルムのごとき長尺物を裁断するとともに、この裁断された片を別の場所に移送する自動裁断移送装置に係るものである。
【背景技術】
【０００２】
従前から、例えばフィルムを裁断装置により裁断した後に、裁断されたフィルム片を個別に別の工程に迅速にかつ確実に移動するための工夫が種々なされてきたが、素材が小さく薄いために自動化が極めて難しく、満足のできる装置が未だ見当たらないという現状である。
【発明の開示】
【発明が解決しようとする課題】
【０００３】
本発明は、上記した実状に鑑みてなされたもので、フィルムのごとき長尺物を裁断するとともに、この裁断された片を別の場所に迅速にかつ確実に移送できる自動裁断移送装置を提供することを目的とするものである。
【課題を解決するための手段】
【０００４】
本発明に係る自動裁断移送装置は、フィルムのごとき長尺物を裁断位置へ搬送する搬送装置と、長尺物を裁断する上刃部と下刃部と、長尺物の一端を下刃部に吸着させるバキューム機構とを備えるものである。
また、本発明に係る自動裁断移送装置は、フィルムのごとき長尺物を裁断位置へ搬送する搬送装置と、長尺物の一端を裁断する上刃部と下刃部と、下刃部に長尺物の一端を吸着させるバキューム機構と、下刃部に前記バキューム機構により裁断された片を吸着させた状態で別の場所に移送させる移送装置とを備えるものである。
【発明の効果】
【０００５】
本発明に係る自動裁断移送装置は、フィルムのごとき長尺物を裁断位置へ搬送する搬送装置と、長尺物を裁断する上刃部と下刃部と、長尺物の一端を下刃部に吸着させるバキューム機構とを備えるから、フィルムのごとき長尺物を確実にかつ容易に連続裁断できるといった顕著な効果が得られる。
また、本発明に係る自動裁断移送装置は、フィルムのごとき長尺物を裁断位置へ搬送する搬送装置と、長尺物の一端を裁断する上刃部と下刃部と、下刃部に長尺物の一端を吸着させるバキューム機構と、下刃部に前記バキューム機構により裁断された片を吸着させた状態で別の場所に移送させる移送装置とを備えるから、フィルムのごとき長尺物を確実にかつ容易に連続裁断できるとともに、この裁断された片を別の作業場所に迅速に移送できる。
【発明を実施するための最良の形態】
【０００６】
本発明に係る自動裁断移送装置によれば、搬送装置によりフィルムのごとき長尺が搬送され、先端が所定の裁断位置に達すると、バキューム機構が作動して長尺物の先端は下刃部に吸着される。そして、その状態で上刃部と下刃部により長尺物の先端が裁断されると、移送装置は裁断された片を前記バキューム機構により下刃部に吸着させた状態で別の作業が行なわれる場所に移送させることとなり、したがって、作業の流れを止めることなくフィルムのごとき長尺物の連続裁断処理ができる。
【実施例】
【０００７】
以下、本発明の自動裁断移送装置について、図面に示す実施例に基づき説明する。
図１において、本発明に係る自動裁断移送装置１は、搬送装置２により搬送されてきたフィルム３と、バキューム孔４が配置されたバキューム機構５を有する下刃部６とを備え、作業時に、フィルム３の先端3aが下刃部６上に達すると、バキューム機構５が作動してフィルム３の先端3aはバキューム孔４を介して下刃部６に吸着される。そして、その状態において、上下動する上刃部７が下がって下刃部６上のフィルム３の一端3aは裁断される。しかる後、下刃部６を前進後退させる移送装置（図示しない）が作動して、下刃部６はバキューム機構５により裁断された片を吸着した状態で移動すると、吸着機構（図示しない）を備える移載ハンド８が下降して裁断された片に当接吸着して所定の位置へ下降させるようにしている。
尚、上記実施例ではフィルムに適用したが、バキューム吸着可能であればどのような長尺物であってもよい。
【産業上の利用可能性】
【０００８】
フィルムのごとき長尺物を確実にかつ容易に連続裁断できるとともに、この裁断された片を別の作業場所に迅速に移送できる。
【図面の簡単な説明】
【０００９】
【図１】本発明に係る自動裁断移送装置の実施の一例を示す斜視図である。
【図２】本発明に係る自動裁断移送装置の実施の一例を示す平面図である。
【図３】本発明に係る自動裁断移送装置の実施の一例を示す側面図である。
【図４】本発明に係る自動裁断移送装置の実施の一例を示す正面図である。
【符号の説明】
【００１０】
１  本発明に係る自動裁断移送装置
２  搬送装置
３  フィルム
４  バキューム孔
５  バキューム機構
６  下刃部
７  上刃部
８  移載ハンド
【図１】
2005095991.tif 000003
【図２】
2005095991.tif 000004
【図３】
2005095991.tif 000005
【図４】
2005095991.tif 000006
(57)【要約】【課題】  カバ―プレ―トを省略し、モ―ルド樹脂内に取付けブロックを内蔵させることによって、部品点数が少なく、コスト安で組立てが容易で軽量で、トランスの高温化が防止される溶接用トランスを提供する。【解決手段】  溶接ガンを保持する２枚の側板１０，１１で構成した溶接ガン装置のガンブラケット７に取付けられる溶接用トランス８において、一次コイル、二次コイル１５、コア―１４及び端子１６を樹脂でモ―ルドし、該モ―ルド樹脂１７の表面をトランスの外表面とすると共にモ―ルド樹脂内に取付けブロック１８，１９を内蔵させ、該取付けブロックを前記ガンブラケットの両側板１０，１１にそれぞれ取付けボルト１２，１３により締め付けてトランスを保持させるようにした溶接用トランス。【選択図】        図２
2005095901.tif 000002
【特許請求の範囲】
【請求項１】
溶接ガンを保持する２枚の側板で構成した溶接ガン装置のガンブラケットに取付けられる溶接用トランスにおいて、一次コイル、二次コイル、コア―及び端子を樹脂でモ―ルドし、該モ―ルド樹脂の表面をトランスの外表面とすると共にモ―ルド樹脂内に取付けブロックを内蔵させ、該取付けブロックを前記ガンブラケットの両側板にそれぞれ取付けボルトにより締め付けてトランスを保持させるようにしたことを特徴とする溶接用トランス。
【発明の詳細な説明】
【技術分野】
【０００１】
本発明は、溶接ガンを保持する２枚の側板で構成した溶接ガン装置のガンブラケットに取付けられる溶接用トランスに関するものである。
【背景技術】
【０００２】
従来、溶接ガンを保持する２枚の側板で構成した溶接ガン装置のガンブラケットに溶接用トランスを取付けたものがある（例えば、特許文献１参照。）。
【０００３】
【特許文献１】特公昭６２ー１１９５０号公報（第３図）。
【発明の開示】
【発明が解決しようとする課題】
【０００４】
ところで前記従来技術では、コア―を挟持する保持板の外側面にカバ―プレ―トを配置してその内部をモ―ルド材でモ―ルドするようにしているため、部品点数が多く、コスト高で組立て難く重量が嵩み、カバ―プレ―トがコイルの高周波により誘導発熱してトランスが高温化する虞がある。
【０００５】
本発明は、従来の技術の有するこのような問題点に鑑みてなされたものであり、その目的とするところは、カバ―プレ―トを省略し、モ―ルド樹脂内に取付けブロックを内蔵させることによって、部品点数が少なく、コスト安で組立てが容易で軽量で、トランスの高温化が防止される溶接用トランスを提供しようとするものである。
【課題を解決するための手段】
【０００６】
上記目的を達成するために、本発明における溶接用トランスは、一次コイル、二次コイル、コア―及び端子を樹脂でモ―ルドし、該モ―ルド樹脂の表面をトランスの外表面とすると共にモ―ルド樹脂内に取付けブロックを内蔵させ、該取付けブロックをガンブラケットの両側板にそれぞれ取付けボルトにより締め付けてトランスを保持させるようにしたことを特徴とするものである。
【発明の効果】
【０００７】
本発明においては、一次コイル、二次コイル、コア―及び端子を樹脂でモ―ルドし、該モ―ルド樹脂の表面をトランスの外表面とすると共にモ―ルド樹脂内に取付けブロックを内蔵させ、該取付けブロックをガンブラケットの両側板にそれぞれ取付けボルトにより締め付けてトランスを保持させるようにしたので、部品点数が少なく、コスト安で組立てが容易で軽量で、トランスの高温化が防止される溶接用トランスとなる。
【発明を実施するための最良の形態】
【０００８】
図１ないし図３は本発明に係る実施例の溶接用トランスに関するものであり、図１は本発明に係る溶接用トランスを備えた溶接ガンの正面図、図２は溶接用トランスの平面図、図３は図２のＡ―Ａ断面図である。
【０００９】
図において、１は溶接ガンであり、該溶接ガン１は概略，固定ア―ム２と、加圧駆動装置３と、可動ア―ム４と、両電極５，６と、ロボット（図示せず）に接続され溶接ガン１の全体を保持するガンブラケット７と、該ガンブラケット７に保持される溶接用トランス８とで構成されている。なお、９はガンブラケット７の一部であり前記固定ア―ム２と加圧駆動装置３とを接続するヨ―クでもある。
【００１０】
前記ガンブラケット７は、溶接ガン１の２枚の側板１０，１１で構成しており、該両側板１０，１１間には前記溶接用トランス８がそれぞれボルト１２，１３によって保持されている。
【００１１】
前記溶接用トランス８は、コア―１４に巻回された一次コイル及び二次コイル１５と入力端子１６等が樹脂１７でモ―ルドされている。そしてこのモ―ルド樹脂１７の全表面が溶接用トランス８の外表面となっている。また、該モ―ルド樹脂１７内には取付けねじ孔を有する金属製の取付けブロック１８，１９が内蔵されていて、前記各側板１０，１１からのボルト１２，１３がそれぞれ取付けブロック１８，１９のねじ孔に螺合するようにして側板１０，１１側からボルト１２，１３を締め付けることによって、溶接用トランス８は両側板１０，１１間に確実に保持される。
【００１２】
なお、２０は整流器，２１はトランス８と整流器２０とを連結する端子である。
【００１３】
以上のような構成からなる溶接用トランス８では、その外表面が従来例のようなカバ―プレ―トや取付け枠を有することなく、モ―ルド樹脂１７で直接に外表面が形成されているので、トランス８の作動時にコイルの高周波により誘導発熱がないばかりでなく、モ―ルド樹脂１７内に取付けブロック１８，１９が内蔵されていることと相まって、部品点数が少なく、コスト安で組立てが容易で軽量なトランスとなる。そして、この溶接用トランス８は、ボルト１２，１３によって単に両側板１０，１１間に保持されることから、溶接ガン１の強度部材とはならず、したがって格別の強度を要するものではない。
【００１４】
なお、この実施例ではガンブラケット７がヨ―ク９をも共用したものであるが、ヨ―ク９で固定ア―ム２と加圧駆動装置３とを接続し、ロボットに接続されるガンブラケット７はヨ―ク９と別の箇所で直接に加圧駆動装置３に固着してもよい。
【図面の簡単な説明】
【００１５】
【図１】図１は本発明に係る溶接用トランスを備えた溶接ガンの正面図である。
【図２】図２は本発明に係る溶接用トランスの平面図である。
【図３】図３は図２のＡ―Ａ断面図である。
【符号の説明】
【００１６】
１                        溶接ガン
７                        ガンブラケット
８                        溶接用トランス
１０，１１                側板
１２，１３                ボルト
１４                      コア―
１５                      一次，二次コイル
１６                      端子
１７                      モ―ルド樹脂
１８，１９                取付けブロック
【図１】
2005095901.tif 000003
【図２】
2005095901.tif 000004
【図３】
2005095901.tif 000005
(57)【要約】【課題】  この発明は軸材を挟んで2枚の板材を板材の厚さと同じ隙間を空けて連続して張り付けたパネルを板材と同じ幅、厚さの横板とパイプをパネルの連結材として使うことによって強度を確保しながら棚板とハンガー掛けとして使用できる。また同様に外面を短い棚板を使用することによって両面を利用できる。【解決手段】  軸材（１）を横板（２）ではさんで張り合わせる。これを棚板（３）を差し込める隙間（４）をあけて連続して張り合わせて作った1枚のパネルにパイプ用の穴（５）を所定の場所に設ける。このパネルに棚板（３）パイプ（６）を必要な位置と数量を取り付けることによってパネルの間に棚ハンガー掛けを作りそれがパネルを自立させる役目を持たせることが出来る。【選択図】  図１
2005095351.tif 000002
【特許請求の範囲】
【請求項１】
軸材（１）に棚板（３）を差し込むことが出来る隙間（４）とパイプ（６）を通す穴（５）をあけて横板（２）を取り付けた両面使用できる木製パネル。
【発明の詳細な説明】
【技術分野】
【０００１】
本発明は棚とパイプを使ってパネルを多目的に連結する木製パネルに関するものである。
【背景技術】
【０００２】
パネルにフックを使用して必要なところに棚をつけられるパネルは便利であった。
【０００３】
この改善策として棚とパイプを使用して多目的に連結し、これ自体が自立できる物である。
【特許文献１】実全昭47-035793
【発明の開示】
【発明が解決しようとする課題】
【０００４】
パネルの両面を使いかつ連結できるでこと。
【課題を解決するための手段】
【０００５】
棚板とパイプを横板に差し込むことによって複数のパネルを連結する。
【発明の効果】
【０００６】
本発明のパネルは横板や、棚板の長さや大きさ、又パネルの高さや横幅のいろいろなサイズの物を組み合わせることによって、コの字型やＬ字型など用途やスペースに応じて設営できる。また、共通のパネルやパーツを使うので必要に応じて、大きさや組み合わせを自由に変更したり、場所を移動したりすることが容易に出来る。
【発明を実施するための最良の形態】
【０００７】
棚板（３）及びパイプ（６）によって同型のパネルを連結し、パネル間の棚板とパイプとその他の棚板
由に装着して両面を利用できる。
【実施例１】
【０００８】
図１は本発明の正面図であってパネルの軸材と横板とパイプ用の穴の位置関係を示している。
【実施例２】
【０００９】
図2は本発明の一部を拡大した側面図であってパネルに棚板とパイプを差し込んだ状態を指し示している。
【実施例３】
【００１０】
図3は本発明の使用斜視図であってパネル2枚を棚板とパイプを使用して連結した物を示している。
【図面の簡単な説明】
【００１１】
【図１】本発明の木製パネルの正面図で棚板（３）を差し込む隙間（４）とパイプ（６）を差し込む穴（５）をあけた横板及び軸材（１）を指し示している。
【図２】本発明のパネルの側面の一部拡大図であり軸材（１）と横板（２）からなるパネルに棚板（３）、パイプ（６）を差し込んだ状態と横板の間に棚板を差し込む隙間（４）の位置を指し示している。
【図３】本発明の使用斜視図であり、棚板（３）とパイプ（６）を使用することによって2枚のパネルが連結されこの連結物自体が自立することを指し示している。
【符号の説明】
【００１２】
１  軸材
２  横板
３  棚板
４  棚板を差し込む隙間
５  パイプを通す穴
６  パイプ
【図１】
2005095351.tif 000003
【図２】
2005095351.tif 000004
【図３】
2005095351.tif 000005
(57)【要約】      （修正有）【課題】振動の振幅を拡大しなくても大きな変位振動がブラシホルダで得られ、また、ブラシの部分で発熱がない歯科用ステイン除去器を提供する。【解決手段】振動板８の両面にそれぞれ圧電体振動子１３を装着したバイモルフ振動子の振動板の一端に装着されたブラシホルダ１１の先端にブラシ１２が植設され、圧電体振動子に発振出力を印加することにより、バイモルフ振動子の振動で振動板に接続したブラシホルダをブラシに対して直交方向に振動することを特徴とする。【選択図】図１
2005095389.tif 000002
【特許請求の範囲】
【請求項１】
振動板の両面にそれぞれ圧電体振動子を装着したバイモルフ振動子と、該バイモルフ振動子の振動板の一端に装着され、先端にブラシが植設されたブラシホルダとからなり、前記圧電体振動子に発振出力を印加することにより、前記バイモルフ振動子の振動で振動板に接続した前記ブラシホルダを前記ブラシに対して直交方向に振動することを特徴とする歯科用ステイン除去器。
【発明の詳細な説明】
【技術分野】
【０００１】
本発明は、バイモルフ振動子によってブラシホルダを支持軸に対して直交方向に駆動するようにした歯科用ステイン除去器に関するものである。
【背景技術】
【０００２】
この種の歯科用ステイン除去器としては、一般的に、エアースピンドルでブラシを振動及び回転させて歯面を研磨しているが、この場合、スピンドルから発生する高音によって患者に不快感を与えるとともに、研磨するときに水を吹き付けるために、研磨剤の流失が生じ、口腔内に流れて患者に不快感を与えるという問題がある。
【０００３】
又、図３に示すように、圧電体振動子１を金属ブロック２、３で挟持し、金属ブロック２の端部にホーン４を接続し、金属ブロック２、３をボルトで固定したボルト締めランジュバン型振動子を構成し、ホーン４の先端に支持２部材５を介してブラシホルダ６を接続し、ブラシホルダ６にブラシ７を植設した歯科用ステイン除去器が提案されているが、ブラシホルダ６は圧電体振動子１の縦振動を金属ブロック２、３及びホーン４で拡大してブラシ７に振動を与えているために、ブラシ７の部分で発熱するという問題がある。
【発明の開示】
【発明が解決しようとする課題】
【０００４】
解決しようとする問題点は、エアースピンドルでブラシを振動及び回転して研磨する場合、スピンドルで発生する高音により患者に不快感を与え、又、ランジュバン型振動子によって、ブラシホルダに縦振動を与える場合は、ブラシ部分において発熱を生じる点である。
【課題を解決するための手段】
【０００５】
本発明は、振動板の両面にそれぞれ圧電体振動子を装着したバイモルフ振動子の振動板の一端に装着されたブラシホルダの先端にブラシが植設され、圧電体振動子に発振出力を印加することにより、バイモルフ振動子の振動で振動板に接続したブラシホルダをブラシに対して直交方向に振動することを特徴とする。
【発明の効果】
【０００６】
本発明の歯科用ステイン除去器は、バイモルフ振動子によって振動板に超音波振動を与え、振動板によってブラシホルダをその支持軸と直交する方向に駆動することにより、振動の振幅を拡大しなくても大きな変位振動がブラシホルダで得ることができ、又、ブラシの部分で発熱がないという利点がある。
【発明を実施するための最良の形態】
【０００７】
振動板に圧電体振動子を固着する場合、ブラシホルダが効率よく振動するような位置に圧電体振動子を固着するものである。
【０００８】
図１は本発明の歯科用ステイン除去器の斜視図、図２は図１の歯科用ステイン除去器の側面図で、振動板８はケース９の先端部９ａで支持され、ケース９の先端部９ａより突出した振動板８の端部に固着した支持部材１０でブラシホルダ１１の支持軸１１ａが支持され、ブラシホルダ１１の先端にブラシ１２が植設され、又、ケース９の内部の振動板８の両面に圧電体振動子１３が固着され、この圧電体振動子１３に発振器１４から発振出力が印加され、さらに、発振器１４に電源１５から電力が供給されている。
【０００９】
このように構成した本実施例の歯科用ステイン除去器では、発振器１４から発振出力が圧電体振動子１３に印加されると、圧電体振動子１３の伸縮によって振動板８が板の面に対して直交方向にたわむので、ブラシホルダ１１の先端に装着されたブラシ１２は植設された方向に対して直交した方向に振動され、ブラシ１２が歯の面に対して平行に振動し、従って、歯の面にブラシ１２を押し付けるだけで着色（ステイン）が除去されるため、操作が容易出あり、高音の発生がなく、水の吹き付けを必要としない。
【００１０】
なお、上記実施例では、図において、ブラシホルダ１１の支持軸１１ａを曲げて装着しているが、真直に構成してもよいし、他の形状に折り曲げてもよいし、又、図では、直方体の圧電体振動子１３が記載されているが、円板形状のものでもよいし、さらに、圧電体振動子１３は振動板８の片面に固着してもよい。
【図面の簡単な説明】
【００１１】
【図１】図１は本発明の実施例の歯科用ステイン除去器の斜視図である。
【図２】図２は図１の歯科用ステイン除去器の側面図である。
【図３】図３は従来の歯科用ステイン除去器の斜視図である。
【符号の説明】
【００１２】
８          振動板
９          ケース
１０          支持部材
１１          ブラシホルダ
１２          ブラシ
１３          発振器
１４          電源
【図１】
2005095389.tif 000003
【図２】
2005095389.tif 000004
【図３】
2005095389.tif 000005
(57)【要約】【課題】  従来のユニットタイル張りは、たたき板によってユニットタイル表面をたたき込んで張る工法である。この張り方では職人によってたたき込む力の個人差がありユニットタイル表面も裏足面の張り付けモルタルとの密着もバラバラに仕上がっている。タイルの浮や剥離の原因もこうした仕上げ工法に問題がある場合があります。現在は高層の建物が多く外壁面は特に密着度をきっちりと仕上げなければならない。【解決手段】  モーターの振動によりユニットタイルの張り付け部分のゴム盤全体を振動させまる。そのゴム盤をユニットタイル表面に当て、手でタイル張り機を押さえながら表面をなでるようする。その結果、ユニットタイル裏足面の張り付けモルタルは振動により押し込まれ完全に密着する。ユニットタイル表面を軽くタイル張り機出軽くなでる事によりタイル表面の仕上がりも平均して平に仕上がる為、美しく仕上げる事が出来る。またユニットタイル裏足面が完全に密着くする事によりタイルの浮や剥離の原因も解決出来る。【選択図】  図１
2005299365.tif 000002
【特許請求の範囲】
【請求項１】
本発明はユニットタイルを長方形のゴム板を振動させ、その振動を利用してユニットタイルを張る機械。
【請求項２】
本発明は現在タイル職人が使用しているユニットタイル用たたき板のゴム面と同じ面積であり重量もほぼ変わらず、手に持ちやすい形のボディーにした機械。
【発明の詳細な説明】
【技術分野】
【０００１】  本発明は内外装の壁・床のユニットタイルを張り付ける事に関する。
【背景技術】
【０００２】  現在内外装のユニットタイル施工は、たたき板と言う裏にゴムを張った長方形の厚板で、ユニットタイルの上からたたきながら張っています。現在５年以上経過したマンション・ビル等のタイルの浮きや落下などで各ゼネコンは頭を痛めている。
【発明の開示】
【発明が解決しようとする課題】
【０００３】  上記のタイルの張り方は職人一人一人のタイルのたたき込む力の差によってタイルと張り付けモルタル等の密着に誤差が発生しタイルの密着の弱い部分より雨水や湿気が入りやすくなり、年数が経つにつれて弱い部分に廃化がおこり浮の原因になります。
そこで本発明はタイルと張り付けモルタルを完全に密着させ、だれでも同じように施工が出来き、タイル仕上げ面もでこぼこが少なくきれいに仕上げます。
【課題を解決するための手段】
【０００４】  本発明は上記の目的を達成する為に、たたき板と同じ大きさでゴムの張った面をモーターの回転による振動をゴム面に伝えその振動を利用してタイルと張り付けモルタルを密着させる。
【発明の効果】
【０００５】  本発明のユニットタイル張り付け機は振動による密着張りの為、タイル裏足部分に張り付けモルタルが完全にくい込みタイル裏足の溝部分の隙間もなくなり密着強度強く、タイルの浮きの原因も解決します。
【発明の実施するための最良の形態】
【０００６】  本発明の実施の形態を図１から図６に基づいて説明する。
【０００７】  図において      （ハ）３  モーターを回転させるバッテリー
（ニ）５  ゴム板
（イ）１  底板に固着させたモーター
（ロ）２  中心をずらした円すい形ふん動
（ホ）９  外周のボディ
（ヘ）４  始動ボタン
【０００８】  上記構成の動作を説明する。（３）のバッテリーより電気を送り（４）のスイッチにより（１）のモーターを回転させモーターの回転により（２）の中心をずらした円すい形のふん動が楕円回転をおこしモーター本体を振動させその振動が低板盤を振動させる。その振動するそこ板に張り付けてあるゴム板をユニットタイルに当てるとユニットタイルは張り付けモルタルにくい込むように完全密着し、ユニットタイル表面を軽く本機で押さえる事によりユニットタイル表面を平に美しく仕上げる事が出来る。
【０００９】  上記構造の型を説明する。（９）の外形部分の（２０）の溝の部分は手の指が本機に固定しやすく出来ている。前頭部は中央に溝を作りそこに（４）の手動ボタンを設置し中指が固定しやすくしてある。（３）バッテリーは後側から出し入れする。（５）のゴム板は現在のタタキ板と同じくらいの面積で作り本機使用の為の手に持つ違和感は無く操作もしやすく重量も現在のたたき板とほぼ同じ大きさである。
【図面の簡単な説明】
【００１０】
【図１】    本説明の本体外見形態図
【図２】    本体の中の部分断面図
【図３】    ２図Ａ−Ａを前方より見た断面図
【図４】    本体外見前方より見た形態図
【図５】    本体外見を後方より見た形態図
【図６】    現在使用中のたたき板形態図
【符号の説明】
【００１１】  １  モーター
２  円すい盤
３  バッテリー
４  押し込み型ゴムスイッチボタン
５  ゴム盤
６  裏板
７  間切
８  差し込み用ソケット
９  外形
１０  押し込み型ゴムスイッチの内側構造部分
１１  配線
１２  カーボン部分
１３  モーター心棒
１４  モーター固定接着剤
１５  モーター留め金
１６  モーター心棒補強盤
１７  バッテリー収納庫
１８  バッテリー取り出し口
１９  裏板と本体取り付け溝
２０  指当て溝
２１  バッテリー収納庫外蓋
２２  蓋止め
【図１】
2005299365.tif 000003
【図２】
2005299365.tif 000004
【図３】
2005299365.tif 000005
【図４】
2005299365.tif 000006
【図５】
2005299365.tif 000007
【図６】
2005299365.tif 000008